【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
単レンズプロジェクタによって生成されランダムに偏光された入射画像ビームを偏光面保存投影スクリーンに投影するための、時間多重化された立体的３Ｄ投影システムであって、
前記単レンズプロジェクタによって生成された前記ランダムに偏光された入射画像ビームを、１本の１次画像ビームと２本の２次画像ビームに分割するように動作可能なビーム分割素子であって、
前記１本の１次画像ビームは、１次画像ビーム経路を有し、第１の直線偏光状態を有し、
前記２本の２次画像ビームは、それぞれがそれぞれの２次画像ビーム経路を有し、両方とも第２の直線偏光状態を有し、
前記第１の直線偏光状態と前記第２の直線偏光状態とは互いに直交しており、
前記２次画像ビームに対する前記２次画像ビーム経路は両方とも、前記１次画像ビーム及び前記２次画像ビームが部分的に重なり合い互いに再合成されて前記偏光面保存投影スクリーンの表面上で完全な画像を形成するように、反射面によって進路を変えられている、ビーム分割素子と、
前記１次画像ビーム経路及び前記２つの２次画像ビーム経路のそれぞれに配置され、前記単レンズプロジェクタによって生成される画像と同期して、前記第１の直線偏光状態及び前記第２の直線偏光状態を左円偏光状態と右円偏光状態との間で変調するように構成される、偏光変調器と、
前記１次画像ビーム経路及び前記２次画像ビーム経路のうちの少なくとも１つの経路内に配置され、かつ、前記関連する偏光変調器と前記偏光面保存投影スクリーンとの間に配置される、コントラスト強調フィルムと、
を備え、
前記コントラスト強調フィルムは、前記１次画像ビーム及び前記２次画像ビームのうちの前記少なくとも１つの前記円偏光状態を摂動させるように構成される、少なくとも３つの別個の一軸延伸位相差フィルムの積層体を含み、
前記一軸延伸位相差フィルムのそれぞれは、１４０ｎｍ、２７０ｎｍ、又は５４０ｎｍのうちの１つと実質的に等しい面内位相差値を個々に有する、システム。
【請求項２】
前記一軸延伸位相差フィルムのそれぞれは特定の角度で整列された光学軸を有し、前記一軸延伸位相差フィルムのうちの少なくとも２つは、異なる角度で整列された光学軸を有する、請求項１に記載のシステム。
【請求項３】
前記偏光変調器は、前記１次画像ビーム及び前記２次画像ビームがそれぞれ通過する出射面を有し、前記コントラスト強調フィルムは、関連する偏光変調器の前記出射面に近接して配置される、請求項１に記載のシステム。
【請求項４】
前記コントラスト強調フィルムは、関連する偏光変調器の前記出射面に接着されている、請求項３に記載のシステム。
【請求項５】
前記コントラスト強調フィルムは、前記１次画像ビーム経路内の前記偏光変調器に近接して配置され、前記１次画像ビームの前記第１の直線偏光状態は、受動型円偏光用観察ゴーグルにある直線偏光フィルタの透過軸と平行になるように構成される、請求項３に記載のシステム。
【請求項６】
前記偏光変調器のそれぞれの前記出射面に配置されるコントラスト強調フィルムをさらに含む、請求項３に記載のシステム。
【請求項７】
前記コントラスト強調フィルムは、それらの関連する偏光変調器の前記出射面に接着されている、請求項６に記載のシステム。
【請求項８】
前記コントラスト強調フィルムの前記一軸延伸位相差フィルムは、光学接着剤を用いて互いに接着される、請求項１に記載のシステム。
【請求項９】
前記偏光変調器のそれぞれは、直列に一緒に配置される２つの個々のパイセル液晶素子の積層体を含む、請求項１に記載のシステム。
【請求項１０】
前記２つの個々のパイセル液晶素子は、互いに交差する向きになるように配置され、かつ、第１の光学処理状態と第２の光学処理状態との間で切り換わる、請求項９に記載のシステム。
【請求項１１】
前記第１の光学処理状態及び前記第２の光学処理状態により、前記１次画像ビーム及び前記２本の２次画像ビームが、それぞれ左円偏光状態と右円偏光状態との間で変調されるようになる、請求項１０に記載のシステム。
【請求項１２】
偏光変調器を出射する画像ビームの経路内に配置するためのコントラスト強調フィルムであって、
前記画像ビームの円偏光状態を摂動させるように構成され、
少なくとも３つの別個の一軸延伸位相差フィルムの積層体を含み、
前記一軸延伸位相差フィルムのそれぞれは、１４０ｎｍ、２７０ｎｍ、又は５４０ｎｍのうちの１つと実質的に等しい面内位相差値を個々に有しており、
前記一軸延伸位相差フィルムのそれぞれは、特定の角度で整列された光学軸を有し、
前記一軸延伸位相差フィルムのうちの少なくとも２つは、異なる角度で整列された光学軸を有する、コントラスト強調フィルム。
【請求項１３】
前記コントラスト強調フィルムの前記一軸延伸位相差フィルムは、光学接着剤を用いて互いに接着される、請求項１２に記載のコントラスト強調フィルム。
【請求項１４】
単レンズプロジェクタによって生成されたランダムに偏光された入射画像ビームを偏光面保存投影スクリーンに投影するための、時間多重化された立体的３Ｄ投影方法であって、
ビーム分割素子を用いて、前記単レンズプロジェクタによって生成された前記ランダムに偏光された入射画像ビームを、１本の１次画像ビームと２本の２次画像ビームに分割する工程であって、
前記１本の１次画像ビームは、１次画像ビーム経路を有し、第１の直線偏光状態を有し、
前記２本の２次画像ビームは、それぞれがそれぞれの２次画像ビーム経路を有し、両方とも第２の直線偏光状態を有し、
前記第１の直線偏光状態と前記第２の直線偏光状態とは互いに直交しており、
前記２次画像ビームに対する前記２次画像ビーム経路は両方とも、前記１次画像ビーム及び前記２次画像ビームが部分的に重なり合い互いに再合成されて前記偏光面保存投影スクリーンの表面上で完全な画像を形成するように、反射面によって進路を変えられている、分割する工程と、
前記１次画像ビーム経路及び前記２つの２次画像ビーム経路のそれぞれに配置される偏光変調器を用いて、前記単レンズプロジェクタによって生成される画像と同期して、前記第１の直線偏光状態及び前記第２の直線偏光状態を左円偏光状態と右円偏光状態との間で変調する工程と、
前記１次画像ビーム経路及び前記２次画像ビーム経路のうちの少なくとも１つの経路内であって、前記関連する偏光変調器と前記偏光面保存投影スクリーンとの間に、コントラスト強調フィルムを配置する工程と、
を含み、
前記コントラスト強調フィルムは、前記１次画像ビーム及び前記２次画像ビームのうちの前記少なくとも１つの前記円偏光状態を摂動させるように構成される、少なくとも３つの別個の一軸延伸位相差フィルムの積層体を含み、
前記一軸延伸位相差フィルムのそれぞれは、１４０ｎｍ、２７０ｎｍ、又は５４０ｎｍのうちの１つと実質的に等しい面内位相差値を個々に有する、方法。
【請求項１５】
前記一軸延伸位相差フィルムの光学軸のそれぞれを特定の角度で整列させる工程をさらに含み、前記一軸延伸位相差フィルムのうちの少なくとも２つは、異なる角度で整列された光学軸を有する、請求項１４に記載の方法。
【請求項１６】
前記コントラスト強調フィルムを配置する工程は、前記偏光変調器の出射面に前記コントラスト強調フィルムを配置する工程を含む、請求項１４に記載の方法。
【請求項１７】
前記コントラスト強調フィルムを前記偏光変調器の前記出射面に接着する工程をさらに含む、請求項１６に記載の方法。
【請求項１８】
前記コントラスト強調フィルムを、前記１次画像ビーム経路内の前記偏光変調器に近接して配置する工程と、
前記１次画像ビームの前記第１の直線偏光状態を、受動型円偏光用観察ゴーグルにある直線偏光フィルタの透過軸と平行になるように構成する工程と、
をさらに含む、請求項１６に記載の方法。
【請求項１９】
前記コントラスト強調フィルムを、前記偏光変調器のそれぞれの前記出射面に配置する工程をさらに含む、請求項１６に記載の方法。
【請求項２０】
前記コントラスト強調フィルムを、それらの関連する偏光変調器の前記出射面に接着する工程をさらに含む、請求項１９に記載の方法。
【請求項２１】
前記接着する工程は、光学接着剤を用いることを含む、請求項２０に記載の方法。
【請求項２２】
前記偏光変調器のそれぞれは、直列に一緒に配置される２つの個々のパイセル液晶素子の積層体を含む、請求項１４に記載の方法。
【請求項２３】
前記２つの個々のパイセル液晶素子は、互いに交差する向きになるように配置され、かつ、第１の光学処理状態と第２の光学処理状態との間で切り換わる、請求項２２に記載の方法。
【請求項２４】
前記第１の光学処理状態及び前記第２の光学処理状態により、前記１次画像ビーム及び前記２本の２次画像ビームが、それぞれ左円偏光状態と右円偏光状態との間で変調されるようになる、請求項２３に記載の方法。
【請求項２５】
偏光変調器を出てゆく経路を有する画像ビームの円偏光状態を摂動させるための方法であって、
少なくとも３つの別個の一軸延伸位相差フィルムを含むコントラスト強調フィルムを、偏光変調器を出射する前記画像ビームの前記経路内に配置する工程、ここで、前記一軸延伸位相差フィルムのそれぞれは、１４０ｎｍ、２７０ｎｍ、又は５４０ｎｍのうちの１つに実質的に等しい面内位相差値を個別に有する、および、
前記一軸延伸位相差フィルムのそれぞれの光学軸を特定の角度で整列する工程、ここで、前記一軸延伸位相差フィルムのうちの少なくとも２つは、異なる角度で整列された光学軸を有する、
を含む、方法。
【請求項２６】
前記コントラスト強調フィルムの前記少なくとも３つの一軸延伸位相差フィルムを、光学接着剤を用いて互いに接着する工程をさらに含む、請求項２５に記載の方法。